【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
複写が禁止される原稿を作成するために、第１の画像を付加する第１の設定、及び、正しいパスワードが入力された場合の複写は許可される原稿を作成するために、第２の画像を付加する第２の設定を行うことが可能となっており、
複写が禁止される原稿がスキャナ部に置かれた状況で、ユーザにより複写開始の指示が行われると、前記スキャナ部に置かれた複写が禁止される原稿の複写を行わず、
正しいパスワードが入力された場合の複写は許可される原稿がスキャナ部に置かれ、ユーザにより複写開始の指示が行われると、
前記第１の設定が行われている場合には、前記スキャナ部に置かれた正しいパスワードが入力された場合の複写は許可される原稿の複写は行わないが、
前記第１の設定も前記第２の設定も行われていない場合には、前記第１の設定が行われている場合と異なり、ユーザによる正しいパスワードの入力を条件として、前記スキャナ部に置かれた正しいパスワードが入力された場合の複写は許可される原稿の複写を行うことを特徴とする装置。
【請求項２】
正しいパスワードが入力された場合の複写は許可される原稿がスキャナ部に置かれ、ユーザにより複写開始の指示が行われると、
前記第２の設定が行われている場合には、前記第１の設定が行われている場合と異なり、ユーザによる正しいパスワードの入力を条件として、前記スキャナ部に置かれた正しいパスワードが入力された場合の複写は許可される原稿の複写を行い、
当該原稿の複写を行う際には、前記第２の画像の付加は行わないことを特徴とする請求項１に記載の装置。
【請求項３】
正しいパスワードの入力を条件として、スキャナ部に置かれている原稿の複写を行うとは、
スキャナ部に置かれている原稿の読み取りを行った上で、ユーザにパスワードの入力を求めるための画面を表示し、その後、ユーザが正しいパスワードの入力ができた場合に、前記読み取りにより得られた画像の印刷を行い、一方でユーザが正しいパスワードの入力ができなかった場合に、前記読み取りにより得られた画像の印刷を行わないということを意味することを特徴とする請求項１又は２に記載の装置。
【請求項４】
前記第１の画像は、原稿の複写が禁止されるべきであることを表し、
前記第２の画像は、正しいパスワードが入力された場合の複写が許可されるべきであることを表していることを特徴とする請求項１乃至３の何れか１項に記載の装置。
【請求項５】
前記第１の画像及び前記第２の画像は、符号画像であることを特徴とする請求項１乃至４の何れか１項に記載の装置。
【請求項６】
前記第１の画像及び前記第２の画像は、１次元バーコード、２次元バーコード、電子透かしのうちの何れかであることを特徴とする請求項１乃至５の何れか１項に記載の装置。
【請求項７】
複写とは、スキャナ部に置かれた原稿から新たな原稿を作成する処理であることを特徴とする請求項１乃至６の何れか１項に記載の装置。
【請求項８】
複写が禁止される原稿を作成するために、第１の画像を付加する第１の設定とは、
スキャナ部に置かれている原稿の読み取りにより得られた画像の印刷にあたり、当該画像に前記第１の画像を付加する設定のことであり、
正しいパスワードが入力された場合の複写は許可される原稿を作成するために、第２の画像を付加する第２の設定とは、
スキャナ部に置かれている原稿の読み取りにより得られた画像の印刷にあたり、当該画像に前記第２の画像を付加する設定のことであることを特徴とする請求項１乃至７の何れか１項に記載の装置。
【請求項９】
複写が禁止される原稿を作成するために、第１の画像を付加する第１の設定、及び、正しいパスワードが入力された場合の複写は許可される原稿を作成するために、第２の画像を付加する第２の設定を行うことが可能となっている装置を制御する方法であって、
複写が禁止される原稿がスキャナ部に置かれた状況で、ユーザにより複写開始の指示が行われると、前記スキャナ部に置かれた複写が禁止される原稿の複写を行わないステップと、
正しいパスワードが入力された場合の複写は許可される原稿がスキャナ部に置かれ、ユーザにより複写開始の指示が行われると、
前記第１の設定が行われている場合には、前記スキャナ部に置かれた正しいパスワードが入力された場合の複写は許可される原稿の複写は行わないが、
前記第１の設定も前記第２の設定も行われていない場合には、前記第１の設定が行われている場合と異なり、ユーザによる正しいパスワードの入力を条件として、前記スキャナ部に置かれた正しいパスワードが入力された場合の複写は許可される原稿の複写を行うステップとを有することを特徴とする方法。
【請求項１０】
正しいパスワードが入力された場合の複写は許可される原稿がスキャナ部に置かれ、ユーザにより複写開始の指示が行われると、
前記第２の設定が行われている場合には、前記第１の設定が行われている場合と異なり、ユーザによる正しいパスワードの入力を条件として、前記スキャナ部に置かれた正しいパスワードが入力された場合の複写は許可される原稿の複写を行い、
当該原稿の複写を行う際には、前記第２の画像の付加は行わないステップを有することを特徴とする請求項９に記載の方法。
【請求項１１】
正しいパスワードの入力を条件として、スキャナ部に置かれている原稿の複写を行うとは、
スキャナ部に置かれている原稿の読み取りを行った上で、ユーザにパスワードの入力を求めるための画面を表示し、その後、ユーザが正しいパスワードの入力ができた場合に、前記読み取りにより得られた画像の印刷を行い、一方でユーザが正しいパスワードの入力ができなかった場合に、前記読み取りにより得られた画像の印刷を行わないということを意味することを特徴とする請求項９又は１０に記載の方法。
【請求項１２】
前記第１の画像は、原稿の複写が禁止されるべきであることを表し、
前記第２の画像は、正しいパスワードが入力された場合の複写が許可されるべきであることを表していることを特徴とする請求項９乃至１１の何れか１項に記載の方法。
【請求項１３】
前記第１の画像及び前記第２の画像は、符号画像であることを特徴とする請求項９乃至１２の何れか１項に記載の方法。
【請求項１４】
前記第１の画像及び前記第２の画像は、１次元バーコード、２次元バーコード、電子透かしのうちの何れかであることを特徴とする請求項９乃至１３の何れか１項に記載の方法。
【請求項１５】
複写とは、スキャナ部に置かれた原稿から新たな原稿を作成する処理であることを特徴とする請求項９乃至１４の何れか１項に記載の方法。
【請求項１６】
複写が禁止される原稿を作成するために、第１の画像を付加する第１の設定とは、
スキャナ部に置かれている原稿の読み取りにより得られた画像の印刷にあたり、当該画像に前記第１の画像を付加する設定のことであり、
正しいパスワードが入力された場合の複写は許可される原稿を作成するために、第２の画像を付加する第２の設定とは、
スキャナ部に置かれている原稿の読み取りにより得られた画像の印刷にあたり、当該画像に前記第２の画像を付加する設定のことであることを特徴とする請求項９乃至１５の何れか１項に記載の方法。
【請求項１７】
複写が禁止される原稿を作成するために、第１の画像を付加する第１の設定、及び、正しいパスワードが入力された場合の複写は許可される原稿を作成するために、第２の画像を付加する第２の設定を行うことが可能となっている装置を制御する方法をコンピュータに実行させるプログラムであって、
前記方法は、
複写が禁止される原稿がスキャナ部に置かれた状況で、ユーザにより複写開始の指示が行われると、前記スキャナ部に置かれた複写が禁止される原稿の複写を行わないステップと、
正しいパスワードが入力された場合の複写は許可される原稿がスキャナ部に置かれ、ユーザにより複写開始の指示が行われると、
前記第１の設定が行われている場合には、前記スキャナ部に置かれた正しいパスワードが入力された場合の複写は許可される原稿の複写は行わないが、
前記第１の設定も前記第２の設定も行われていない場合には、前記第１の設定が行われている場合と異なり、ユーザによる正しいパスワードの入力を条件として、前記スキャナ部に置かれた正しいパスワードが入力された場合の複写は許可される原稿の複写を行うステップとを有することを特徴とするプログラム。
【請求項１８】
前記方法は、
正しいパスワードが入力された場合の複写は許可される原稿がスキャナ部に置かれ、ユーザにより複写開始の指示が行われると、
前記第２の設定が行われている場合には、前記第１の設定が行われている場合と異なり、ユーザによる正しいパスワードの入力を条件として、前記スキャナ部に置かれた正しいパスワードが入力された場合の複写は許可される原稿の複写を行い、
当該原稿の複写を行う際には、前記第２の画像の付加は行わないステップを有することを特徴とする請求項１７に記載のプログラム。
【請求項１９】
正しいパスワードの入力を条件として、スキャナ部に置かれている原稿の複写を行うとは、
スキャナ部に置かれている原稿の読み取りを行った上で、ユーザにパスワードの入力を求めるための画面を表示し、その後、ユーザが正しいパスワードの入力ができた場合に、前記読み取りにより得られた画像の印刷を行い、一方でユーザが正しいパスワードの入力ができなかった場合に、前記読み取りにより得られた画像の印刷を行わないということを意味することを特徴とする請求項１７又は１８に記載のプログラム。
【請求項２０】
前記第１の画像は、原稿の複写が禁止されるべきであることを表し、
前記第２の画像は、正しいパスワードが入力された場合の複写が許可されるべきであることを表していることを特徴とする請求項１７乃至１９の何れか１項に記載のプログラム。
【請求項２１】
前記第１の画像及び前記第２の画像は、符号画像であることを特徴とする請求項１７乃至２０の何れか１項に記載のプログラム。
【請求項２２】
前記第１の画像及び前記第２の画像は、１次元バーコード、２次元バーコード、電子透かしのうちの何れかであることを特徴とする請求項１７乃至２１の何れか１項に記載のプログラム。
【請求項２３】
複写とは、スキャナ部に置かれた原稿から新たな原稿を作成する処理であることを特徴とする請求項１７乃至２２の何れか１項に記載のプログラム。
【請求項２４】
複写が禁止される原稿を作成するために、第１の画像を付加する第１の設定とは、
スキャナ部に置かれている原稿の読み取りにより得られた画像の印刷にあたり、当該画像に前記第１の画像を付加する設定のことであり、
正しいパスワードが入力された場合の複写は許可される原稿を作成するために、第２の画像を付加する第２の設定とは、
スキャナ部に置かれている原稿の読み取りにより得られた画像の印刷にあたり、当該画像に前記第２の画像を付加する設定のことであることを特徴とする請求項１７乃至２３の何れか１項に記載のプログラム。
【手続補正２】
【補正対象書類名】明細書
【補正対象項目名】発明の名称
【補正方法】変更
【補正の内容】
【発明の名称】装置、方法およびプログラム
【手続補正３】
【補正対象書類名】明細書
【補正対象項目名】０００１
【補正方法】変更
【補正の内容】
【０００１】
本発明は、装置、方法およびプログラムに関する。
【手続補正４】
【補正対象書類名】明細書
【補正対象項目名】００１３
【補正方法】変更
【補正の内容】
【００１３】
そこで、本発明は、セキュリティ付加情報の破壊を起こすことなく、印刷が可能となり、ユーザの利便性を向上させることができる装置、方法およびプログラムを提供することを目的とする。
【手続補正５】
【補正対象書類名】明細書
【補正対象項目名】００１４
【補正方法】変更
【補正の内容】
【００１４】
上記目的を達成するために、本発明の装置は、複写が禁止される原稿を作成するために、第１の画像を付加する第１の設定、及び、正しいパスワードが入力された場合の複写は許可される原稿を作成するために、第２の画像を付加する第２の設定を行うことが可能となっており、複写が禁止される原稿がスキャナ部に置かれた状況で、ユーザにより複写開始の指示が行われると、前記スキャナ部に置かれた複写が禁止される原稿の複写を行わず、正しいパスワードが入力された場合の複写は許可される原稿がスキャナ部に置かれ、ユーザにより複写開始の指示が行われると、前記第１の設定が行われている場合には、前記スキャナ部に置かれた正しいパスワードが入力された場合の複写は許可される原稿の複写は行わないが、前記第１の設定も前記第２の設定も行われていない場合には、前記第１の設定が行われている場合と異なり、ユーザによる正しいパスワードの入力を条件として、前記スキャナ部に置かれた正しいパスワードが入力された場合の複写は許可される原稿の複写を行うことを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明によれば、セキュリティ付加情報の破壊を起こすことなく、印刷が可能となり、ユーザの利便性を向上させることができる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
本発明の装置、方法およびプログラムの実施の形態について図面を参照しながら説明する。本実施形態の装置は、画像形成装置としてネットワークプリントシステムに適用される。